(57)【要約】【課題】ゴルフスイング練習方法であって、それは、ゴルフクラブのスイングを案内するスイング平面を確立し、かつスイング平面の以外のところにゴルフクラブのシャフトとスイング平面とが夾角を形成しているかどうかを監視する部材を確立し、それにより、スイング動作が正確であるかどうかの判断根拠とする。ゴルフスイング練習装置をさらに提供し、該装置はブラケット（１）と、ブラケット（１）に設けられる、地面と一定の夾角を成しているスイング案内フレーム（２）とを含み、スイング案内フレーム（２）表面にはゴルフクラブを支持するための案内面（２−３）が設けられ、案内面（２−３）の外部に凹凸箇所（２−４）又は誘導装置（５）が設けられて、それにより、練習者に対してスイングする時にゴルフクラブのシャフトと案内面とが夾角を形成しているという、間違ったスイング動作を警告する。【選択図】図１
2016523150.tif 000002
【特許請求の範囲】
【請求項１】
ゴルフスイング練習方法であって、ゴルフクラブのスイングを案内するスイング平面を設けて、かつスイング平面の以外のところにゴルフクラブのシャフトとスイング平面とが夾角を形成するかどうかを監視する部材を設けてスイング動作が正確であるかどうかの判断根拠とすることを特徴とするゴルフスイング練習方法。
【請求項２】
指示部材を設けてスイング平面を構成しかつ指示部材にゴルフクラブの摺動を案内する案内面が設けられ、案内面の外側には凹凸箇所又は誘導表示装置を設置することにより、練習者に対してスイングする時にゴルフクラブのシャフトと案内面とが夾角を形成しているという間違ったスイング動作を警告することを特徴とする請求項１に記載のゴルフスイング練習方法。
【請求項３】
平面板を採用してゴルフクラブの摺動を案内する指示部材とし、平面板の中間部には選手が通過するための孔が設けられ、かつ孔の内縁に孔の内部へ向ける凹凸箇所が設けられて、スイングする時にゴルフクラブが凹凸箇所に触れると、間違ったスイング動作として認定することを特徴とする請求項２に記載のゴルフスイング練習方法。
【請求項４】
フレーム状部材を採用してゴルフクラブの摺動を案内する指示部材とし、フレーム状部材の内縁又は外縁に凹凸箇所が設けられ、スイングする時に、ゴルフクラブが凹凸箇所に触れると、間違ったスイング動作として認定することを特徴とする請求項２に記載のゴルフスイング練習方法。
【請求項５】
前記スイング平面と地面との夾角は４５−６５度であることを特徴とする請求項１又は２に記載のゴルフスイング練習方法。
【請求項６】
具体的なステップは、
ａ、指示部材を設けてスイング平面を構成し、かつ指示部材の案内面の外側に凹凸箇所が設けられてゴルフクラブと案内面とが夾角を形成するかどうかを監視するステップと、
ｂ、ゴルフクラブのスイングを案内するスイング平面と地面との夾角を調整するステップと、
ｃ、練習者と指示部材との間の距離を調整して、ゴルフクラブをスイングして、スイング過程においてゴルフクラブのシャフトはスイング平面に沿って移動することを保持するステップと、を含むことを特徴とする請求項２に記載のゴルフスイング練習方法。
【請求項７】
前記ステップｃのスイング過程において、選手はゴルフクラブが凹凸箇所に触れることを感知する時に、握る角度を調整して、ゴルフクラブとスイング平面とが平行することを維持することを特徴とする請求項５に記載のゴルフスイング練習方法。
【請求項８】
ブラケットと、ブラケットに設けられる、地面と一定の夾角を成しているスイング案内フレームとを含み、
スイング案内フレーム表面にはゴルフクラブを支持するための案内面が設けられ、案内面の外部に凹凸箇所が設けられていることを特徴とする請求項１乃至７のいずれか一項に記載のゴルフスイング練習方法の練習装置。
【請求項９】
それは、ブラケットと、ブラケットに設けられる、地面と一定の夾角を成しているスイング案内フレームとを含み、スイング案内フレーム表面には、ゴルフクラブを支持するための案内面が設けられ、案内面の外部に誘導表示装置が設けられていることを特徴とする請求項１乃至７のいずれか一項に記載のゴルフスイング練習方法の練習装置。
【請求項１０】
前記誘導表示装置は接触型センサ、制御装置及び指示光源又はスピーカーを含み、接触型センサは制御装置に接続し、制御装置の信号出力端は指示光源及び／又はスピーカーに接続することを特徴とする請求項１０に記載のゴルフスイング練習装置。
【発明の詳細な説明】
【技術分野】
【０００１】
本発明はゴルフポーツの技術分野に関し、特に、ゴルフスイング練習方法及び装置に関する。
【背景技術】
【０００２】
ゴルフスポーツにとっては、どのように正確な打つ動作とスイング姿勢を養成するのかが、初学者の重要な課題であり、ゴルフを練習する際の問題はゴルフボールが人体の構成と調和しないことにあり、ゴルフが力の方向と時点とを完璧に統一する必要があり、習慣的には、人々の力の作用方向とゴルフの正確なバッティングの力の作用方向とは違いが大きく、練習しないとその方法を掌握することが困難であり、少数のプロ選手の以外、ほとんどのアマチュアは動作が標準的ではない場合があるが、練習したいが標準な方法がなく、特に、スイング平面の概念は明確ではなく、正確的なスイング平面を掌握することができない。そのため、個人の感覚のみで模索し、コーチが現地で指導しても、短期に正確なバッティング動作を掌握することが困難であり、リアルタイムに効果的に修正することができず、長期にわたって目標を外れ、かつ自分で間違いことを気づけないことが生じる。従って、近年、この分野に関連する技術者はゴルフ練習装置を提案し、初学者を支援して快速に動作要点を掌握するようになっている。中国特許出願番号２０１０１０５２４１６１.２に記載されている発明は、発明名称が室内ゴルフスイング練習設備であって、懸垂式のターゲットプレートと、地面に設置するためのキックオフパッドと、１つ以上の軽量ボールと、１つ以上のクラブとを含み、ターゲットプレートには標的と、標的を通過した主水平線と主垂直線とが設けられ、主水平線と主垂直線にはいずれも目盛があり、主水平線の設定目盛にはターゲットプレートの板面の分岐垂直線が設けられ、主垂直線の設定目盛にはターゲットプレートの板面を貫通する分岐水平線が設けられ、ターゲットプレートの板面には軽量ボール固定物が設けられ、キックオフパッドにはボール設置中心点とボール設置中心点を通過した較正線とが設けられ、軽量ボールにはターゲットプレートの板面に固定するための部材が設けられている。この発明の構成は打つ点の前方に座標目盛付きのターゲットプレートを設置することで、毎回のバッティングのズレ量を正確に計算することができ、ゴルファーが関連データに基づいてその動作を調整することができ、関連するガイド支援設備がないため、ゴルファーは依然として個人感覚で摸索し、初学者にとっては明らかに適していない。
【０００３】
また、中国特許出願番号ＣＮ２００６１０１６８３９９.Ｘに記載されている発明は、発明名称がガイド部材であって、人体模型の周囲に取り付けて形成された弧状リングを含み、クラブの両端にそれぞれグリップおよびクラブヘッドを有し、該グリップが人体模型の掌に接続し、クラブヘッドがスイングガイド部材の弧状リングに接続し、クラブヘッドのスイング方向を弧状リングの軌跡に沿って運動させる。それによって、選手にスイングの各ステップを了解させ、選手のスイング姿勢と角度に対する自動調整認識を提供する。しかしながら、この装置は正確的にスイング平面を指導する効果的な方法がなく、かつ、個人の身長によって、人々が使用したクラブの長さが異なり、スイングの平面角度も異なり、前記人体模型のスイング動作の弧状リング軌跡の作成については練習者が自分で摸索する必要があるので、練習者のゴルフ水準の向上に役に立たない。
【発明の概要】
【発明が解決しようとする課題】
【０００４】
本発明の目的は既存技術の不足を解決するために提供される、練習においてゴルフクラブのシャフトのモーション軌跡が正確的な平面にあるかどうかを即時検知し、簡単な直観的、かつ正確な指導方法を提供することである。
【０００５】
本発明のもう１つの目的は構成が簡単であり、スイング練習において正確に、系統的に個人ごとの身体パラメータに応じて標準的なスイング平面を提供するスイング練習装置を提供することである。
【課題を解決するための手段】
【０００６】
本発明の目的は下記の技術方法により実現される。
ゴルフスイング練習方法であって、それは、ゴルフクラブのスイングを案内するスイング平面を設けて、かつスイング平面の以外のところにゴルフクラブのシャフトとスイング平面とが夾角を形成しているかどうかを監視する部材を設けることを、スイング動作が正確であるかどうかの判断根拠とする。なお、スイング平面と地面とが交差する直線は打つ目標方向線であり、それが平面幾何の接線原理を運用して、前記部材により、スイング平面ガイドを設けてスイング指導の根拠とし、接線原理をゴルフスイング練習に応用するのは本分野において始めるものであることを特徴とする。
【０００７】
前記技術案の更なる説明として、それは、指示部材を設けることによりスイング平面を構成して、かつ指示部材にゴルフクラブの摺動を案内する案内面が設けられて、案内面の外側には凹凸箇所又は誘導表示装置を設置することにより、練習者がスイングする時にゴルフクラブのシャフトと案内面とがある夾角を形成していることを確認し、間違ったスイング動作を警告する。
【０００８】
好ましくは、それは、平面板をゴルフクラブの摺動を案内する指示部材として、平面板の中間部に選手が通過するための孔が設けられて、かつ孔の内縁には孔の内部へ指差す凹凸箇所が設けられて、スイングする時に、ゴルフクラブが凹凸箇所に触れると、間違ったスイング動作として認定する。
【０００９】
好ましくは、それは、フレーム状部材を採用してゴルフクラブの摺動を案内する指示部材として、フレーム状部材の内縁又は外縁には凹凸箇所が設けられて、スイングする時にゴルフクラブが凹凸箇所に触れると、間違ったスイング動作として認定する。
【００１０】
前記スイング平面と地面との夾角は４５−６５度である。
【００１１】
ゴルフスイング練習方法であって、それは、ａ、指示部材を設けることによりスイング平面を構成して、かつ指示部材の案内面の外側には凹凸箇所を設置することにより、ゴルフクラブのシャフトと案内面とが夾角を形成しているかどうかを監視するステップと、
ｂ、ゴルフクラブのサイズに応じて、ゴルフクラブのスイングを案内するスイング平面と地面との夾角を調整するステップと、
ｃ、練習者はゴルフクラブのグリップを握ってスイング平面装置にスイング練習して、スイング過程においてゴルフクラブのシャフトはスイング平面に沿って移動することを保持するステップと、を含むことを特徴とする。
【００１２】
前記ステップｃのスイング過程において、練習者はゴルフクラブのグリップを握ってスイング平面装置にスイング練習し、ゴルフクラブのシャフトとスイング平面とが夾角を形成し、練習者はゴルフクラブが凹凸箇所に触れることを感知する時に、スイングが正確ではないと認定し、この時に、スイングの角度を調整して、ゴルフクラブのシャフトとスイング平面とが平行することを維持する。
【００１３】
ゴルフスイング練習の位置決め装置であって、それは、ブラケットと、ブラケットに設けられる、地面と一定の夾角を成しているスイング案内フレームとを含み、スイング案内フレームの表面にはゴルフクラブを支持する案内面が設けられて、案内面の外部に誘導表示装置又は凹凸箇所が設けられていることを特徴とする。
【００１４】
前記案内フレームの案内面と地面とは４５−６５度の傾斜角を成している。
【００１５】
前記誘導表示装置は、接触型センサ、制御装置及び指示光源又はスピーカーを含み、接触型センサは制御装置に接続し、制御装置の信号出力端が指示光源又はスピーカーに接続している。
【００１６】
本発明は前記技術解決技術案を採用して以下の有利的な効果を実現することができる。
１、本発明は接線原理に基づいて設計するゴルフ平面スイング練習装置であり、スイング指導を指導する正確性が１００パーセントである。本装置はそれぞれの異なるゴルフクラブの標準スイング平面を正確に位置決めすることができ、それにより、「標準スイング平面練習装置」を発明して、スイング動作の正確性の評価根拠とする。
２、本発明は最も直観的にスイングの効果を即時検知することができ、スイング練習する時の各動作は２種の効果、つまり、「正確」と「正確ではない」のいずれかであり、非常に簡単な練習方法である。各練習者は体験すれば、どのようにスイングすることがよいのか分かる。それは、従来、すべての同種訓練設備が実現することができないものであり、そのため、ゴルフポーツのグローバルな発展にとって非常に有利である。
３、本発明の技術技術案は直観性、正確さ、即時性を有するので、設計される「ゴルフの自習システム」はコーチがなくともスイング動作を練習することができる指導設備であり、それは、全世界におけるゴルフスイング指導形態を変え、ゴルフポーツに対して画期的な意義を有する。
【図面の簡単な説明】
【００１７】
【図１】図１は本発明のゴルフスイング練習の位置決め指示装置の構成模式図である。
【図１ａ】図１ａは本発明のスイング案内フレームの局所構成模式図である。
【図２】図２は本発明のスイング平面の調節過程の模式図である。
【図３】図３は本発明の正確的なスイング訓練状態の模式図である。
【図４】図４は本発明の間違ったスイング訓練状態の模式図である。
【図５】図５は図４の側面図である。
【図６】図６は本発明の別の一実施例の構成模式図である。
【図７】図７は本発明の別の一実施例の構成模式図である。
【図８】図８は本発明の誘導表示装置の取り付け構成の模式図である。
【図９】図９は誘導表示装置が運行する原理のブロック図である。
【図１０】図１０は本発明の別の一実施例の構成模式図である。
【図１１】図１１は図１０の断面構成模式図である。
【発明を実施するための形態】
【００１８】
幾何的には、接線とは、１本の曲線のある点にちょっと触れる直線である。正確的には、接線が曲線におけるある点（すなわち、接点）を通過する時に、接線の方向と曲線における該点の方向とは同じであり、すなわち、アークにおけるある点Ｍは接点方向へ運動して、Ｍ点が接点に無限に近接する時に、アークＭの方向と直線とは同じである（直線方向へ向ける）。複数回の試験によれば、接線原理をゴルフにおける打つ方向に応用すると、スイング運動が弧形軌跡運動であり、打つ点が接点であり、目標方向が直線方向であり、スイングがボールにヒットする時に、ボールが目標方向へ飛び、それは本発明の技術技術案に対して理論根拠を提供する。
【００１９】
実施例１
図１に示すように、本発明はゴルフスイング練習方法であって、それは、図２に示すように、ゴルフクラブのスイングを案内するスイング平面６を設けて、かつスイング平面６の以外にゴルフクラブ７とスイング平面６とが夾角を形成しているかどうかを監視する部材を設けて、それにより、スイング動作が正確であるかどうかの判断根拠として、該スイング平面６と地面とは４５−６５度の夾角ａを成していることを確認する。
【００２０】
以下、異なるサイズのゴルフクラブのスイング平面角度の変化：
2016523150.tif 000003
【００２１】
具体的なステップは、
ａ、図１に示すように、指示部材を設けてスイング平面を構成し、かつ指示部材の案内面の外側に凹凸箇所を設置してゴルフクラブのシャフトと案内面とが夾角を形成しているかどうかを監視するステップと、
ｂ、図２に示すように、ゴルフクラブのサイズに応じてゴルフクラブのスイングを案内するスイング平面と地面との夾角ａを調整するステップと、
ｃ、スイング訓練を行い、図３に示すように、選手はゴルフクラブのグリップに握ってスイング平面装置にスイング練習を行い、スイングが平面に正確に運動することを保持し、図４及び図５に示すように、選手はゴルフクラブのグリップに握ってスイング平面装置にスイング練習を行い、ゴルフクラブのシャフトとスイング平面とは夾角を形成し、凹凸箇所はスイングが平面から離れ、スイングが正確ではないことを提示するステップと、を含む。
【００２２】
前記スイング指示方法を実際のスイング訓練に応用するために、本発明は前記スイング指示方法によるスイングの位置決め指示装置を設けることを提案し、図１に示すように、それは、ブラケット１とブラケット１に設けられる、地面と一定の夾角を成しているスイング案内フレーム２を含み、スイング案内フレーム２は環状の丸棒２−１(図１及び図１ａに示す)又は弧形の丸棒２−２(図７に示す)から構成され、スイング案内フレーム表面にはスイング案内フレームと分離するゴルフクラブを支持するための案内面２−３が設けられ、案内面２−３と地面とは４５−６５度の傾斜角を成しており、丸棒の内縁には凹凸箇所２−４が設けられている。
【００２３】
実施例２
図６に示すように、ゴルフのスイング練習過程において、本実施例は平面板を採用してゴルフクラブの摺動を案内するスイング案内部件として、平面板の中間部には選手が通過するための孔が設けられ、かつ孔の内縁に孔の内部へ指差す凹凸箇所が設けられて、スイングする時にゴルフクラブが凹凸箇所に触れると、間違ったスイング動作として認定する。
【００２４】
前記練習方法に合わせるスイング位置決め指示装置は、ブラケット１と、ブラケット１に設けられる、地面と一定の夾角を成している平面板３とを含み、平面板の中間部には選手が通過するための孔４が設けられ、孔の内縁には孔の内部へ指差す凹凸箇所３−１が設けられる。
【００２５】
実施例３
図８及び図９に示すように、本実施例は前記技術案との異なる点が、前記スイング案内フレームの凹凸箇所は誘導表示装置５により代替されることができ、該誘導表示装置は接触型センサ５−１、制御装置５−２、指示光源５−３及びスピーカー５−４を含み、接触型センサの取付け位置と前記凹凸箇所の分布位置とは一致し、ここで詳しく説明しない。なお、接触型センサ５は制御装置５−２に接続し、制御装置の信号出力端は指示光源５−３とスピーカー５−４に接続し、ゴルフクラブが接触型センサに触れると同時に、接触型センサは信号を制御装置に送信し、制御装置は光源と音響の方式で選手が間違ってスイングしたことを警告する。前記誘導表示装置は光源と音声という２種の方式のうちのいずれか１種を選択して選手が間違ってスイングしたことを警告する。
【００２６】
実施例４
図１０及び図１１に示すように、本実施例において、横断面が矩形であるスイング案内フレーム２の表面にその周向に沿って連続的に分布するリブ８が設けられ、リブ８の正面８−１が案内面になるように設置され、側面８−２には凹凸箇所９が設けられ、連続する凹凸箇所が波浪状を呈している。正確にスイングする時に、ゴルフクラブのシャフトはスイング案内フレームの案内面に沿って移動する。ゴルフクラブのシャフトと案内面とが一定の夾角を成している時に、移動過程において、シャフトが波浪形の凹凸箇所に触れると、間違ってスイングしたことを警告し、この時に、練習者はすぐ修正する必要がある。
【００２７】
本発明は従来技術と比べて、その主な区別点は、本発明はシャフトがスイング案内フレームに沿って摺動してスイング訓練を行い、ゴルフクラブはスイング案内フレームの接続制限を受けず、主に練習者が制御して正確な平面にスイングし、かつ警告部品、例えば、凹凸箇所と誘導表示装置を設定することにより、すぐに間違ったスイング動作に対して修正する。従来技術において、背景技術に公開される中国特許出願番号ＣＮ２００６１０１６８３９９．Ｘにおいて、クラブヘッドはスイング案内部材の弧形環の接続に制限され、スイング訓練過程において、クラブヘッドのみが正確なスイング平面に移動し、シャフトが該平面に移動するかどうかを判断することができず、前記接線理論に基づいて、シャフトが正確なスイング平面に移動しないと、真正の平面スイングではなく、指導、訓練の目的を実現することができない。本発明の該設計は個人ごとに適合し、初学者及び間違った動作を修正する必要がある人々に対してよい指導設備を提供するとともに、プロ選手に対して専用の訓練設備を提供する。
【００２８】
前記の具体的実施例は本発明を説明するための実施例のみである。本発明における当業者は前記の具体的実施例に対していろんな修正と補助または類似の手段を用いて代替することができるが、本発明の趣旨から離れず、または特許請求の範囲を超えない。
【符号の説明】
【００２９】
１、ブラケット２、スイング案内フレーム２−１、丸棒２−２、丸棒２−３、案内面２−４、凹凸箇所３、平面板４、孔５、誘導表示装置５−１、位置接触型センサ５−２、制御装置５−３、指示光源５−４、スピーカー６、スイング平面７、ゴルフクラブ８、リブ８−１、正面８−２、側面９、凹凸箇所。
【図１】
2016523150.tif 000004
【図１ａ】
2016523150.tif 000005
【図２】
2016523150.tif 000006
【図３】
2016523150.tif 000007
【図４】
2016523150.tif 000008
【図５】
2016523150.tif 000009
【図６】
2016523150.tif 000010
【図７】
2016523150.tif 000011
【図８】
2016523150.tif 000012
【図９】
2016523150.tif 000013
【図１０】
2016523150.tif 000014
【図１１】
2016523150.tif 000015
【国際調査報告】
2016523150.tif 000016
2016523150.tif 000017
2016523150.tif 000018
2016523150.tif 000019
2016523150.tif 000020
2016523150.tif 000021